(57)【要約】【課題】  湿度管理に煩わされることなく人体に効果的に熱を伝達して快適なサウナ環境を実現できるサウナ装置を提供すること。  【解決手段】  上面部１１を所定温度に加温可能なベッド１０と、このベッド１０上に設けられており水（Ｑ）を収容可能な水槽部２０とを有し、この水槽部２０の下方部分に所定個数の貫通穴２６を形成し、当該貫通穴２６に水（Ｑ）の排出量を抑制する排水量抑制部材３０を配設し、上記排水量抑制部材３０を通過した水（Ｑ）が、加温されたベッド１０の上面部１１に供給され蒸発する構成とする。【選択図】      図１
2005312477.tif 000002
【特許請求の範囲】
【請求項１】
上面部を所定温度に加温可能なベッドと、このベッド上に設けられており水を収容可能な水槽部とを有し、この水槽部の下方部分に所定個数の貫通穴を形成し、当該貫通穴に水の排出量を抑制する排水量抑制部材を配設し、
上記排水量抑制部材を通過した水が、加温されたベッドの上面部に供給され蒸発する構成とされたサウナ装置。
【請求項２】
前記排水量抑制部材が、多孔質材料から形成された請求項１記載のサウナ装置。
【請求項３】
前記ベッドと水槽部との少なくとも一方が、モルタルと遠赤外線放射物質との混合物を成形・固化してなる請求項１又は２記載のサウナ装置。
【請求項４】
前記ベッドの上面部に、前記排水量抑制部材を通過した水を案内するガイド溝を形成した請求項１，２又は３記載のサウナ装置。
【請求項５】
前記水槽部の外面を弾力性に富んだクッション材で覆った請求項１〜４までのいずれか１項に記載のサウナ装置。
【発明の詳細な説明】
【技術分野】
【０００１】
本発明は、サウナ浴を行うのに使用されるサウナ装置に関する。
【背景技術】
【０００２】
従来、サウナ装置としては、大別して、（１）サウナ室内に加熱装置を設けて室内全体を加熱する方式、（２）人が座る椅子などに加熱装置を設けて人体に熱を伝える方式がある。
【０００３】
上記（１）の方式では、サウナ室の大気温度を高温に保ちつつ湿度を低くする必要があり、非常に不快な環境となる。また、多大の熱エネルギを消費するため、ランニングコストが嵩む欠点を有する。一方、上記（２）の方式は、熱エネルギ消費量は少ないが、椅子等が著しく高温となり人体に負担がかかりやすい。なお、かかる（２）の方式の改良型として、例えば特許文献１がある。
【０００４】
特許文献１に係るサウナ装置は、サウナ室の床面下部に加熱装置を設け、当該床面上に多数のセラミックボールからなるセラミック層を設けたものである。セラミック層からは遠赤外線を放射するので、人体に効果的に熱を伝達できるとのことである。
【特許文献１】特開２００２−３４５９１８号公報
【発明の開示】
【発明が解決しようとする課題】
【０００５】
ところで、上記した（１），（２）の方式（改良型を含む）の場合、サウナ室内の湿度が低下すると、人体に悪影響を与えることになる。ここで、かかる不都合が発生しないように、常時サウナ室内の湿度を監視し、湿度が低下した場合にはサウナ室の床面に水を撒いたり、室内で水蒸気を発生させたりして湿度を高めることが考えられる。しかし、このような湿度管理は手間が掛かり煩わしい。
【０００６】
本発明の目的は、湿度管理に煩わされることなく人体に効果的に熱を伝達して快適なサウナ環境を実現できるサウナ装置を提供することにある。
【課題を解決するための手段】
【０００７】
上記目的を達成するために、請求項１の発明は、上面部を所定温度に加温可能なベッドと、このベッド上に設けられ水を収容可能な水槽部とを有し、この水槽部の下方部分に所定個数の貫通穴を形成し、当該貫通穴に水の排出量を抑制する排水量抑制部材を配設し、上記排水量抑制部材を通過した水が、加温されたベッドの上面部に供給され蒸発する構成とされたサウナ装置である。
【０００８】
上記請求項１の発明では、サウナ浴を行う場合、ベッドを所定温度（例えば、４１℃）に加温するとともに水槽部に水を入れる。すると、水槽部に収容された水は、排水量抑制部材を通って少しずつ（例えば、水槽部内の５０リットルの水が４時間以上かけて排水されるようなゆっくりとした排水速度）ベッド上面部に排出する。ここで、ベッド上面部は加温されているので、その熱で水は蒸発し、周囲の空気湿度を適度な値（例えば湿度６０〜８５％）に保つ。
【０００９】
このように、水槽部内に水を入れておくだけで、人手を介することなく自動的に湿度管理を行える。したがって、ベッド上の人間は、適度な湿度環境下で当該ベッドから熱を効果的に伝達される。なお、水の蒸発はベッドの熱で行うので、水蒸発用の装置を格別用意する必要はなく、コスト低減および熱エネルギの有効利用を図れる。
【００１０】
請求項２の発明は、前記排水量抑制部材が、多孔質材料から形成されたサウナ装置である。
【００１１】
上記請求項２の発明の場合、請求項１の発明の場合と同様な作用・効果を奏し得る他、貫通穴の大小にかかわらず多孔質材料（例えば、火山石）によって水の排出量を確実に抑制できる。
【００１２】
請求項３の発明は、前記ベッドと水槽部との少なくとも一方が、モルタルと遠赤外線放射物質との混合物を成形・固化してなるサウナ装置である。
【００１３】
上記請求項３の発明の場合、請求項１又は２の発明の場合と同様な作用・効果を奏し得る他、遠赤外線放射物質（例えば、ブラックシリカ，北投石，生効石）は水に濡れると一段と多く遠赤外線を放出するので、より一層効果的に人体に熱を伝達できる。
【００１４】
請求項４の発明は、前記ベッドの上面部に、前記排水量抑制部材を通過した水を案内するガイド溝を形成したサウナ装置である。
【００１５】
上記請求項４の発明の場合、請求項１，２又は３の発明の場合と同様な作用・効果を奏し得る他、ガイド溝によって水はベッド上面部に均一に供給される。
【００１６】
請求項５の発明は、前記水槽部の外面を弾力性に富んだクッション材で覆ったサウナ装置である。
【００１７】
上記請求項５の発明の場合、請求項１，２，３又は４の発明の場合と同様な作用・効果を奏し得る他、ベッド上で人が転んで身体の一部（頭部など）が仮に水槽部に当たったとしても、クッション材によって衝撃が吸収されるので大怪我を負わないで済む。
【発明の効果】
【００１８】
請求項１の発明によれば、水槽部に収容された水は排水量抑制部材を通って少しずつベッド上面部に排出され当該ベッドの熱で蒸発するので、ベッド上の人間は適度な湿度環境下で当該ベッドから熱を効果的に伝達される。また、水の蒸発はベッドの熱で行うので、水蒸発用の装置を格別用意する必要はなく、コスト低減および熱エネルギの有効利用を図れる。
【００１９】
請求項２の発明によれば、排水量抑制部材が多孔質材料（火山石等）から形成されているので、請求項１の発明の場合と同様な効果を奏し得る他、貫通穴の大小にかかわらず水の排出量を一段と確実に抑制できる。
【００２０】
請求項３の発明によれば、ベッドと水槽部との少なくとも一方が、モルタルと遠赤外線放射物質との混合物を成形・固化してなるので、請求項１又は２の発明の場合と同様な効果を奏し得る他、水に濡れた遠赤外線放射物質（例えば、ブラックシリカ，北投石，生効石）は一段と多く遠赤外線を放出することになり、より一層効果的にベッド上の人体に熱を伝達できる。
【００２１】
請求項４の発明によれば、ベッドの上面部に、排水量抑制部材を通過した水を案内するガイド溝を形成したので、請求項１，２又は３の発明の場合と同様な効果を奏し得る他、ガイド溝によって水はベッド上面部に均一に供給されることになり、一段と適切な湿度管理を行える。
【００２２】
請求項５の発明によれば、水槽部の外面を弾力性に富んだクッション材で覆ったので、請求項１，２，３又は４の発明の場合と同様な効果を奏し得る他、ベッド上の人が転んで水槽部に当たったとしても、クッション材によって衝撃が吸収されるので大怪我を負わないで済む。
【発明を実施するための最良の形態】
【００２３】
以下、本発明の実施の形態を図面を参照しながら説明する。
【００２４】
本発明に係るサウナ装置は、サウナ浴（岩盤風呂浴を含む）を行う場合に使用されるものであり、図１に示すように、ベッド１０と水槽部２０とを有し、この水槽部２０の貫通穴２６から水をベッド１０上に少しずつ自然排出し、当該ベッド１０の熱で蒸発させる構成とされている。以下、本サウナ装置の各構成要素について詳述する。
【００２５】
まず、ベッド１０は、モルタルと遠赤外線放射物質（例えば、ブラックシリカ，北投石，生効石）との混合物を成形・固化して成り、このベッド１０には温熱装置（図示省略）の面熱体カーボン電熱ヒーターが内蔵されている。この実施形態では、上記した温熱装置に電気（例えば商用電源）を供給すると、ベッド１０の上面部を４１〜４５℃まで加温して保持可能に構成されている。また、上記した遠赤外線放射物質として、ブラックシリカ（黒鉛珪石）が選定されている。なお、図１では、２つの薄型直方体形状のベッド１０が接近配設されている。
【００２６】
なお、ベッド１０の上面部１１に、図２中２点鎖線で示すように、後に詳述する排水量抑制部材３０を通過した水を案内するガイド溝１５を形成してもよい。ブラックシリカは、遠赤外線を放射するとともに、水の中に含まれている塩化カルシウムを人間の身体に良いものに変質させるので、一段と良好なサウナ浴を行える。なお、上記したガイド溝１５の形状は任意に選定できる。
【００２７】
次に、水槽部２０は、ベッド１０上に設けられており、水（Ｑ）を収容可能に構成されている。この実施形態では、水槽部２０は、モルタルと遠赤外線放射物質（ブラックシリカ，北投石，生効石など）との混合物を成形・固化して成り、５０リットルの水を収容可能とされている。より具体的には、水槽部２０は、図１に示すように、２個のベッド（１０，１０）に水を少しずつ供給するものとされており、４個の長方形状の側板（２１，２２，２３，２４）と底板２５とを接合することにより形成されている。これらの板（２１〜２５）は、それぞれ専用の型枠に上記した混合物を流し込んで固化してなる。各側板（２１〜２４）の表面には、接合される側板と繋がるような擬石模様が形成されている。これにより、各側板（２１〜２４）を位置ずれさせることなく接合できる。
【００２８】
この水槽部２０の下方部分には、所定個数の貫通穴２６が形成されており、当該貫通穴２６には水の排出量を抑制する排水量抑制部材３０が配設されている。より具体的には、水槽部２０の側板（２１，２２）の下方部位を貫通穿設することにより貫通穴２６が形成されている。なお、水槽部２０の下方部分には、図３に示すように、槽内の水を短時間で排出するための排水口２８および栓２９も設けられている。
【００２９】
排水量抑制部材３０は、多孔質材料から形成されている。この実施形態では、多孔質材料として、火山石が選定されている。この多孔質材料製の排水量抑制部材３０は、水槽部２０内の５０リットルの水（Ｑ）を４時間以上かけて通過させるように形成されている。
【００３０】
次に、この実施形態の作用を説明する。
【００３１】
本サウナ装置を用いてサウナ浴を行う場合には、ベッド１０の上面部１１を所定温度（４１〜４５℃）に加温するとともに水槽部２０に水（Ｑ）を入れる。すると、水槽部２０に収容された水（Ｑ）は、排水量抑制部材３０を通って１時間当たり１２．５リットル以下の排水速度でベッド上面部１１へ自然排出される。ここで、ベッド上面部１１は加温されているので、その熱で水は蒸発し、周囲の空気湿度を適度な値（例えば湿度６０〜８５％）に保つ。なお、この際、水槽部２０からベッド上面部１１へ供給される水は少量ずつで変動が極めて少ないので、当該水はベッド１０の熱ですべて蒸発し、その蒸発量も略一定となる。
【００３２】
このように、水槽部２０内に水（Ｑ）を入れておくだけで、人手を介することなく自動的に湿度管理を行える。したがって、ベッド１０上の人間は、適度な湿度環境下で当該ベッド１０から熱を効果的に伝達される。なお、水の蒸発はベッド１０の熱で行うので、水蒸発用の装置を格別用意する必要はなく、コスト低減および熱エネルギの有効利用が図れる。
【００３３】
而して、本サウナ装置は、上面部１１を所定温度に加温可能なベッド１０と、このベッド１０上に設けられており水（Ｑ）を収容可能な水槽部２０とを有し、この水槽部２０の下方部分に所定個数の貫通穴２６を形成し、当該貫通穴２６に水（Ｑ）の排出量を抑制する排水量抑制部材３０を配設し、上記排水量抑制部材３０を通過した水（Ｑ）が、加温されたベッド１０の上面部１１に供給されて蒸発する構成とされているので、湿度管理に煩わされることなく人体に効果的に熱を伝達して快適なサウナ環境を実現できる。
【００３４】
また、排水量抑制部材３０が多孔質材料から形成されているので、水槽部２０の貫通穴２６の大小にかかわらず多孔質材料によって水の排出量を一段と確実に抑制できる。
【００３５】
また、ベッド１０と水槽部２０とが、モルタルと遠赤外線放射物質との混合物を成形・固化して成るので、一段と多く遠赤外線が放出されることになり、より一層効果的に人体に熱を伝達できる。なお、ベッド１０と水槽部２０のいずれか一方のみを、モルタルと遠赤外線放射物質との混合物を成形・固化した構成としても、人体に熱を十分効果的に伝達できる。
【００３６】
また、ベッド１０の上面部１１に、排水量抑制部材３０を通過した水（Ｑ）を案内するガイド溝１５を形成したので、ガイド溝１５によって水（Ｑ）はベッド上面部１１に一段と均一に供給されることになり、一段と適切な湿度管理を行える。
【００３７】
また、水槽部２０の外面（ただし貫通穴２６部分は除く）がクッション材４０で覆われているので、ベッド１０上で人が転んで身体の一部（頭部など）が仮に水槽部２０の外面に当たったとしても、クッション材４０によって衝撃が吸収されるので大怪我をしないで済む。
【００３８】
なお、上記実施形態では、水槽部２０を上部が開口された直方体状に形成したが、これに限定されるものではなく、任意の形状とすることができる。また、水槽部２０の貫通穴２６の設置個数や大きさ等も任意に設定できる。同様に、排水口２８の位置等も任意に設定できる。また、ベッド１０を薄型直方体形状としたが、これに限定されるものではなく、上面部１１を所定温度に加温・保持できればどのような形状としてもよい。
【図面の簡単な説明】
【００３９】
【図１】本発明に係るサウナ装置を説明するための斜視図である。
【図２】本サウナ装置の平面形状を説明するための図である。
【図３】水槽部を説明するための図である。
【符号の説明】
【００４０】
１０    ベッド
１１    上面部
１５    ガイド溝
２０    水槽部
２５    底板
２６    貫通穴
２８    排水口
２９    栓
３０    排水量抑制部材
４０    クッション材
【図１】
2005312477.tif 000003
【図２】
2005312477.tif 000004
【図３】
2005312477.tif 000005